(57)【要約】  オフセットウェブ印刷ユニットに、版胴と、ブランケット胴と、第２のブランケット胴と、自動刷版交換機構と、胴抜き機構とが設けられており、該胴抜き機構が、ブランケット胴が第２のブランケット胴から胴抜きされながら自動刷版交換を可能にするためにブランケット胴を第２のブランケット胴から離反させかつブランケット胴を版胴に選択的に接触するように移動させるための１つのアクチュエータを有する。方法も提供される。
2008534327.tif 000002
【特許請求の範囲】
【請求項１】
オフセットウェブ印刷ユニットにおいて、
版胴と、ブランケット胴と、第２のブランケット胴と、自動刷版交換機構と、胴抜き機構とが設けられており、該胴抜き機構が、ブランケット胴が第２のブランケット胴から胴抜きされながら自動刷版交換を可能にするためにブランケット胴を第２のブランケット胴から離反させかつブランケット胴を版胴に選択的に接触するように移動させるための１つのアクチュエータを有することを特徴とする、オフセットウェブ印刷ユニット。
【請求項２】
ブランケット胴の端部を支持するためのブランケット胴支持体と、版胴の端部を支持するための版胴支持体とが設けられている、請求項１記載のオフセットウェブ印刷ユニット。
【請求項３】
ブランケット胴支持体によって支持されたブランケット胴から版胴が離反するように、胴抜きする際にブランケット胴支持体の移動を停止させるためのフレームストッパが設けられている、請求項２記載のオフセットウェブ印刷ユニット。
【請求項４】
自動刷版交換のための方法において、
アクチュエータを使用してブランケット胴を第２のブランケット胴から胴抜きするステップと、
前記アクチュエータを使用して版胴をブランケット胴から分離させるステップと、
版胴に刷版を供給するステップとを含むことを特徴とする、自動刷版交換のための方法。
【請求項５】
自動刷版交換のための方法において、
アクチュエータを使用してブランケット胴を第２のブランケット胴から胴抜きするステップと、
前記アクチュエータを使用して版胴をブランケット胴から分離させるステップと、
版胴に刷版を供給するステップとを含み、該刷版を供給するステップが、使用された刷版をブランケット胴から取り外すことを含むことを特徴とする、自動刷版交換のための方法。
【発明の詳細な説明】
【技術分野】
【０００１】
本願は、引用したことにより本明細書に記載されたものとする２００５年３月３０日に出願された米国特許仮出願第６０／６６６３６０号明細書の優先権を主張する。
【０００２】
背景
本発明は概して印刷機、特に、分離可能なブランケットを有するウェブオフセット印刷機に関する。
【０００３】
米国特許第４２４０３４６号明細書には、例えば、ブランケット胴の胴抜きを許容するために互いから分離可能な２つのブランケット胴を備えた印刷機が記載されている。このような印刷機において、ブランケット胴は垂直方向から互いにずらされており、ブランケットがずらされているときにウェブをブランケット胴の間に通過させるために、リードローラ又はエアバーが必要であり、これにより、ブランケット胴の間を通るウェブを適切に案内する。これらのガイドは、被印刷製品にマーキングを生じる可能性があり、また、２つの印刷ユニットの間でウェブの見当を変更する可能性があり、劣悪な印刷品質を生じる。
【０００４】
米国特許第６２１６５９２号明細書及び米国特許第６０１９０３９号明細書は、胴抜き機構を備える印刷ユニットを示しており、引用したことにより本明細書に記載されたものとする。
【０００５】
発明の概要
本発明は、版胴と、ブランケット胴と、第２のブランケット胴と、自動刷版交換機構と、胴抜き機構とが設けられており、該胴抜き機構が、ブランケット胴が第２のブランケット胴から胴抜きされた状態で自動刷版交換を可能にするためにブランケット胴を第２のブランケット胴から移動させかつブランケット胴を版胴に選択的に接触するように移動させるアクチュエータを有する、オフセットウェブ印刷ユニットを提供する。
【０００６】
本発明は、アクチュエータを使用してブランケット胴を第２のブランケット胴から胴抜きし、アクチュエータを使用して版胴をブランケット胴から分離させ、版胴に刷版を供給することを含み、この刷版を供給するステップが、使用された刷版をブランケット胴から取り外すことを含む、自動刷版交換のための方法をも提供する。
【０００７】
図面の簡単な説明
本発明の好適な実施形態が図面を参照にして説明される。
【０００８】
図１は、ウェブオフセット印刷機を示している。
【０００９】
図２は、第１の印刷位置における下部印刷対のための支持カムを示している。
【００１０】
図３は、移行位置における支持カムを示している。
【００１１】
図４は、版胴とブランケット胴とが接触している第１の胴抜き位置における支持カムを示している。
【００１２】
図５は、版胴とブランケット胴とが接触していない第２の胴抜き位置における支持カムを示している。
【００１３】
図６は、印刷位置における上部印刷対のための支持体を概略的に示している。
【００１４】
図７は、版胴４８がブランケット胴４６から離反させられている状態における図６の支持体を示している。
【００１５】
図８は、ブランケット胴４６がブランケット胴４４から胴抜きされておりかつ版胴４８がブランケット胴４６から離反している状態における、図６の支持体を示している。
【００１６】
図９は、ブランケット胴４６が胴抜きされているが、版胴４８とは接触している状態における図６の支持を示している。
【００１７】
詳細な説明
図１は、８つのオフセット印刷ユニット１０，１２，１４，１６，１８，２０，２２，２４を有するウェブオフセット印刷機を示しており、それぞれのオフセット印刷ユニットは、版胴４２と、ブランケット胴４４と、版胴４８と、ブランケット胴４６とを有している。印刷ユニット１０，１２，１４，１６において示されたように、ブランケット胴４４及び４６は印刷モードにおいてウェブ３０を挟持し、これらの印刷ユニットはそれぞれ、例えばブラック、シアン、イエロー及びマゼンタを印刷することができる。ウェブは、ニップローラ３２（例えばインフィードローラであることができる）を介して印刷ユニットに進入し、例えばドライヤの下流に配置された出口ローラ３４を介して退出することができる。
【００１８】
各印刷ユニットのためのブランケット胴４４，４６は、ユニット２２及び２４のために示されているように、互いに分離するために及び個々の版胴４２，４８から分離するために胴抜きされることができる。版胴４２，４８はそれぞれ、自動刷版交換作業の間、例えばそれぞれ自動刷版交換装置４０及び５０を介して、ブランケット胴４４，４６と再び接触することができる。自動刷版交換装置は、米国特許第６０５３１０５号明細書、米国特許第６４６０４５７号明細書、及び米国特許第６３９７７５１号明細書に記載され、これらの明細書は、引用したことにより本明細書に記載されたものとする。
【００１９】
ブランケット胴及び版胴４６，４８を移動させるための胴抜き機構６０が概略的に示されている。ブランケット胴４４と版胴４２とは同様の胴抜き機構を有することができる。好適には、各印刷ユニットは２つのモータ７０，７２によって駆動され、一方のモータは、版胴４８又はブランケット胴４６のうちの一方を駆動し、もう一方のモータは、版胴４２又はブランケット胴４４のうちの一方を駆動する。駆動されない胴は、ウェブ３０のそれぞれの側における駆動される胴に歯車で噛み合わされている。各印刷ユニット１０，１２．．．２４は同じであることができる。
【００２０】
ニップローラ３２とニップローラ３４との間のウェブ経路長さは有利には、印刷ユニットのうちの１つが、胴抜きされたブランケット胴を有する場合でさえも、変更される必要はない。胴抜きによって見当は影響を受けない。さらに、ウェブがブランケット胴４４，４６に接触するとマーキングを生じるのでウェブがブランケット胴４４，４６に接触しないように、リードローラ又はエアローラ等のウェブ逸らせ装置又はスタビライザは必要とされない。
【００２１】
胴抜き距離Ｄは好適には少なくとも０．５インチであり、最も好適には少なくとも１インチであり、その場合ウェブはウェブのそれぞれの側に０．５インチの間隙を有する。さらに、ブランケット胴４４，４６の中心は好適にはほぼ垂直の平面Ｖに位置し、この平面は、完全な垂直に対して好適には１０度以下を成す。これは、胴抜きが、水平方向に走行するウェブのために最大の間隙を提供するという利点を有する。
【００２２】
版胴の円周は好適には、６３０ｍｍ未満、最も好適には５７８ｍｍである。
【００２３】
大きな胴抜き距離Ｄの形成が、以下のとおり典型的な実施形態を用いて説明される。
【００２４】
図２は、下部ブランケット胴４４のための胴抜き機構６０を示している。ブランケット胴支持体１０２はブランケット胴４４の歯車側軸１４４を支持し、版胴支持体１０４は版胴４２の歯車側軸１４２を支持している。ブランケット胴支持体１０２は軸線１１６を中心に回動可能であり、版胴支持体は軸線１１４を中心に回動可能である。空圧式シリンダ１０６はアーム１０８を介して版胴支持体１０４を移動させることができる。
【００２５】
印刷位置においてブランケット胴４４がブランケット胴４６と接触している場合、支持体１０２の第１の支持面１１１が支持体１０４の第２の支持面１１２と接触し、支持体１０２の別の支持面１０９は支持体１０４の支持面１１０と接触しない。したがって、距離Ｆがゼロであるのに対し、面１０９と１１０との間の距離Ｇは０．００４５インチであることができる。軸１４４及び１４２の軸線中心の間の距離Ｈは７．２４６３インチであることができる。
【００２６】
図３においては、支持体１０４が下方へ移動させられているので、距離Ｈは例えば７．２４１６インチであることができ、距離Ｆ及びＧはゼロである。したがって、カム面１１１，１１２及び１０９及び１１０は互いの間で荷重を受け渡す。
【００２７】
図４に示されたように、支持体１０４が更に下方へ移動すると、ブランケット胴４４はブランケット胴４６から離反させられ、支持体１０２の支持面すなわちカム１０９はボックス１０４の支持面１１０に接触し、ブランケット胴ボックス１０２は面１０９／１１０においてボックス１０４に載置される。ボックス１０２の支持面１１１とボックス１０４の支持面１１２との間の距離は０．１５６１インチであることができる。支持面１０９はブランケット胴４４と同じ曲率を有することができ、支持面１１０は版胴４２と同じ曲率を有することができるので、図４においても距離Ｈは依然として７．２４１６インチのままである。この点において、延長部１２２もちょうどフレーム上の定置のストッパ１２０に接触する。
【００２８】
図５に示されているように、支持体１０４が更に下方へ移動させられると、ブランケット支持体１０２がストッパ１２０に載置されるのに対し、版胴支持体１０４は更に下方へ移動する。したがって、支持面１０９と１１０との間の距離Ｇが増大し、例えば１ｍｍであることができる。距離Ｆも増大する。この位置において、刷版を取り外したり交換するための版胴４２へのアクセスが可能になる。自動刷版交換の場合、自動刷版交換機構がそのように要求すれば、版胴４２は図４に示されたようにブランケット胴４４に対して再び接触するように移動させられることができる。
【００２９】
上側の版胴及びブランケット胴胴抜き機構も２つの支持面を有しているが、重力の効果が異なるので、上側支持体における同様の孔１３０，１３２の間にリンクが設けられることができ、これにより、版胴４８の持上げが、ブランケット胴４６をも持ち上げるようになっている。
【００３０】
図６は、印刷位置における上側印刷対４６，４８のためのブランケット胴支持体２０２と版胴支持体２０４とを概略的に示している。リンク３００はピン３０４及び３０２を介して支持体２０４，２０２を接続している。ピン３０４は回動可能であるが、支持体２０４に対するリンク３００の並進運動は許容しない。しかしながら、ピン３０２は、後で説明するような僅かな並進運動を許容するようにリンク３００の細長いスロット３０６に配置されている。アクチュエータ２０６（好適には、アクチュエータ１０６とは別個の装置であるが、アクチュエータ１０６に接続されたリンクであることができる）は、ピボット２０８を中心に支持体２０４を回転させることができる。
【００３１】
図７は、アクチュエータ２０６が支持体２０４を介して版胴４８を上方を移動させた状態を示している。リンク３００及びスロット３０６も上方へ移動するが、スロット３０６が設けられていることによりピン３０２は上方へ引き上げられないので、支持体２０２は移動していない。版胴４８はブランケット胴４６から離反している。
【００３２】
図８は、アクチュエータ２０６が版胴支持体２０４をさらに上方へ移動させた状態を示しており、この場合、スロット３０６の底部がピン３０２を上方へ引き上げ、支持体２０２をピボット２１０を中心に持ち上げている。したがって、ブランケット胴４６はブランケット胴４４から離反されており、版胴４８はブランケット胴４６から離反されている。
【００３３】
ブランケット支持体２０２及びブランケット胴４６を胴抜き位置において支持するために、この位置において、くさび３１０が支持体２０２の下側へ移動することができる。
【００３４】
図９に示されているように、次いで、くさび３１０が支持体２０２を支持した状態でアクチュエータ２０６が支持体２０４を下方へ移動させることにより版胴４８はブランケット胴４６に接触することができる。図９は、ブランケット胴４６が胴抜きされているが、版胴４８とは接触している状態における図６の支持を示している。
【００３５】
図２に示されているように、駆動歯車２８０はブランケット胴歯車２６０を駆動することができる。ブランケット胴歯車２６０は同様の版胴歯車を駆動することができる。これらの歯車２８０，２６０は軸方向で支持体１０２の内側、すなわち図面で見て支持体１０２の向こう側に設けられていることができる。歯車の接線方向の配列により、支持体１０２の回転は歯車２６０を（並進しない軸線を有する）歯車２８０から解離させない。図２、図３、図４及び図５の位置において、ブランケット胴歯車２６０及び相互作用する版胴歯車は歯車２８０によって駆動されることができる。したがって、自動刷版交換のためにモータ７２が使用されることができる。
【００３６】
したがって、本発明は、自動刷版交換能力を維持しながら、効果的な形式でブランケット胴及び版胴の大きな移動を提供する。
【図面の簡単な説明】
【００３７】
【図１】ウェブオフセット印刷機を示している。
【図２】第１の印刷位置における下部印刷対のための支持カムを示している。
【図３】移行位置における支持カムを示している。
【図４】版胴とブランケット胴とが接触している第１の胴抜き位置における支持カムを示している。
【図５】版胴とブランケット胴とが接触していない第２の胴抜き位置における支持カムを示している。
【図６】印刷位置における上部印刷対のための支持体を概略的に示している。
【図７】版胴４８がブランケット胴４６から離反させられている状態における図６の支持体を示している。
【図８】ブランケット胴４６がブランケット胴４４から胴抜きされておりかつ版胴４８がブランケット胴４６から離反している状態における、図６の支持体を示している。
【図９】ブランケット胴４６が胴抜きされているが、版胴４８とは接触している状態における図６の支持を示している。
【符号の説明】
【００３８】
１０，１２，１４，１６，１８，２０，２２，２４  オフセット印刷ユニット、  ３０  ウェブ、  ４０  自動刷版交換装置、  ４２  版胴、  ４４，４６  ブランケット胴、  ４８  版胴、  ５０  自動刷版交換装置、  ６０  胴抜き機構、  ７０，７２  モータ、  １０２  ブランケット胴支持体、  １０４  版胴支持体、  １０６  空圧式シリンダ、  １０８  アーム、  １０９，１１０，１１１，１１２  支持面、  １２０  ストッパ、  １２２  延長部、  １３０，１３２  孔、  １４２，１４４  歯車側軸、  ２０２  ブランケット胴支持体、  ２０４  版胴支持体、  ２０６  アクチュエータ、  ２６０  ブランケット胴歯車、  ２８０  駆動歯車、  ３００  リンク、  ３０２，３０４  ピン、  ３０６  スロット、  ３１０  くさび
【図１】
2008534327.tif 000003
【図２】
2008534327.tif 000004
【図３】
2008534327.tif 000005
【図４】
2008534327.tif 000006
【図５】
2008534327.tif 000007
【図６】
2008534327.tif 000008
【図７】
2008534327.tif 000009
【図８】
2008534327.tif 000010
【図９】
2008534327.tif 000011
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
オフセットウェブ印刷ユニットにおいて、
版胴と、第１のブランケット胴と、第２のブランケット胴と、自動刷版交換機構と、胴抜き機構とが設けられており、該胴抜き機構が、第１のブランケット胴が第２のブランケット胴から胴抜きされた状態で自動刷版交換を可能にするために第１のブランケット胴を第２のブランケット胴から離反させかつ第２のブランケット胴を版胴に選択的に接触又は離反させる１つのアクチュエータを有することを特徴とする、オフセットウェブ印刷ユニット。
【請求項２】
前記第１のブランケット胴の端部を支持するためのブランケット胴支持体と、前記版胴の端部を支持するための版胴支持体とが設けられている、請求項１記載のオフセットウェブ印刷ユニット。
【請求項３】
前記ブランケット胴支持体によって支持された第１のブランケット胴から版胴が離反するように胴抜きの際にブランケット胴支持体の移動を停止させるためのフレームストッパが設けられている、請求項２記載のオフセットウェブ印刷ユニット。
【請求項４】
自動刷版交換のための方法において、
アクチュエータを使用して第１のブランケット胴を第２のブランケット胴から胴抜きするステップと、
前記第１のブランケット胴と前記第２のブランケット胴とが胴抜きされている時にアクチュエータを使用して版胴を第１のブランケット胴から分離させかつ版胴を第１のブランケット胴に接触させるステップと、
版胴に刷版を供給するステップとを含む、自動刷版交換のための方法。
【請求項５】
前記刷版を供給するステップが、使用された刷版を版胴から取り外すことを含む、請求項４記載の自動刷版交換のための方法。
【請求項６】
前記版胴を分離させるステップが、ブランケット胴支持部によって支持された第１のブランケット胴から版胴が離反するように胴抜きの際にブランケット胴支持体の移動を停止させることを含む、請求項４記載の自動刷版交換のための方法。
【請求項７】
第１のブランケット胴を第２のブランケット胴から胴抜きするステップが、少なくとも０．５インチの胴抜き距離を含む、請求項４記載の自動刷版交換のための方法。
【請求項８】
第１のブランケット胴を第２のブランケット胴から胴抜きするステップが、少なくとも１．０インチの胴抜き距離を含む、請求項７記載の自動刷版交換のための方法。
【請求項９】
胴抜きのステップの後、第１のブランケット胴の中心と第２のブランケット胴の中心とを結ぶ線が、垂直に対して１０゜以下を成す、請求項４記載の自動刷版交換のための方法。
【請求項１０】
前記第２のブランケット胴に選択的に接触又は離反するための第２の版胴が設けられている、請求項１記載のオフセットウェブ印刷ユニット。
【請求項１１】
第２の刷版交換機構が設けられており、前記刷版交換機構が第１の版胴の刷版を交換し、前記第２の刷版交換機構が第２の版胴の刷版を交換する、請求項１０記載のオフセットウェブ印刷ユニット。
【請求項１２】
前記版胴と前記ブランケット胴とが第１のモータによって駆動され、前記第２のブランケット胴と前記第２の版胴とが第２のモータによって駆動される、請求項１０記載のオフセットウェブ印刷ユニット。
【請求項１３】
胴抜きの際に前記第１のブランケット胴が前記第２のブランケット胴から少なくとも０．５インチ離反するように前記第１のブランケット胴が移動させられる、請求項１記載のオフセットウェブ印刷ユニット。
【請求項１４】
胴抜きの際に前記第１のブランケット胴が前記第２のブランケット胴から１．０インチ離反するように前記第１のブランケット胴が移動させられる、請求項１３記載のオフセットウェブ印刷ユニット。
【請求項１５】
胴抜きの後、前記第１のブランケット胴の中心と前記第２のブランケット胴の中心とを結ぶ線が、垂直に対して１０゜未満を成す、請求項１記載のオフセットウェブ印刷ユニット。
【請求項１６】
くさびが設けられており、前記第１のブランケット胴が前記くさびによって選択的に支持可能である、請求項１記載のオフセットウェブ印刷ユニット。
【請求項１７】
前記くさびが可動である、請求項１６記載のオフセットウェブ印刷ユニット。
【請求項１８】
前記ブランケット胴支持体と前記版胴支持体とを接続するリンクが設けられている、請求項２記載のオフセットウェブ印刷ユニット。
【請求項１９】
前記リンクが、並進運動のためのスロットを有する、請求項１８記載のオフセットウェブ印刷ユニット。
【国際調査報告】
2008534327.tif 000012
2008534327.tif 000013